(57)【要約】【課題】開閉扉を開いた際、他の収納庫の扉等の開閉の妨げとならないようにする。【解決手段】収納庫本体６の前面中央の開口部７に、開閉扉８の上端を、収納庫本体６の天板の外周部下面に設けた、開口部７の上端から右方の側板１０の内方に、平面視内向きくの字状に延びるガイドレールにより、収納庫本体６の側板１０の内面に沿って開閉しうるように吊支する。【選択図】  図５
2004248688.tif 000002
【特許請求の範囲】
【請求項１】
ほぼ直交する壁面のコーナー部に設けられるコーナー用収納庫であって、平面形が概ね五角形をなす収納庫本体の前面中央に形成した収納物出し入れ用の開口部に、開閉扉を、その少なくとも上端を前記収納庫本体内の天板の外周部下面に設けた、前記開口部の上端から左右いずれか一方に平面視くの字状に延びるガイド手段により、収納庫本体の側板の内面に沿って開閉しうるように支持したことを特徴とするコーナー用収納庫。
【請求項２】
ガイド手段を、対向する１対の内向支持片を下端に備えるほぼ下向きコ字状断面をなすガイドレールとするとともに、開閉扉の上端の左右両側部に、前記ガイドレールの両内向支持片により吊支可能な吊支部材を設け、一方の吊支部材を開口部に位置するガイドレールに、かつ他方の吊支部材を収納庫本体内に位置するガイドレールに、それぞれ移動自在に嵌合してなる請求項１に記載のコーナー用収納庫。
【請求項３】
開閉扉における引き手方向の側端下部を、収納庫本体内における開口部の側方の床面又は側板の内面下部に設けたガイド手段に、移動自在に係合した請求項１または２に記載のコーナー用収納庫。
【請求項４】
側板の内面下部に設けたガイド手段は、側板内方に突出した側板の幅方向に延びる線状体であって、開閉扉下端に形成した案内体を摺動保持している請求項３に記載のコーナー用収納庫。
【請求項５】
吊支部材の上端部に、水平軸回りに回転するローラを枢着し、このローラを、ガイドレールの両内向支持片により転動自在に支持した請求項２ないし４のいずれかに記載のコーナー用収納庫。
【請求項６】
側板の内方における床面と天板との間に仕切板を立設し、この仕切板と側板との間の空間部を、開かれた開閉扉の収容部とした請求項１ないし５のいずれかに記載のコーナー用収納庫。
【発明の詳細な説明】
【０００１】
【発明の属する技術分野】
本発明は、例えばキッチン等のコーナー部に設けられるコーナー用収納庫に関する。
【０００２】
【従来の技術】
従来、部屋のコーナー部のデッドスペースを有効に使用するために、コーナー部の壁面に沿って箱状の収納庫（収納家具）を設け、その前面中央の開口部に、前方（手前）に向かって開かれる開閉扉を取付けたコーナー用収納庫が知られている（例えば特許文献１参照）。
【特許文献１】
実公平７−５３５４４号公報（図１，図２等）
【０００３】
【発明が解決しようとする課題】
上述した特許文献１に記載されている従来のコーナー用収納庫のように、収納庫の前面開口部に、前方に向かって開かれる開閉扉を設けたものでは、開閉扉を開いた際に、コーナー用収納庫に隣接して設置された他の収納庫の前面に近接又は当接し、その前面の一部が塞がれるようになるため、他の収納庫の物品の出し入れに支障を来したり、扉の開閉の妨げとなる。
【０００４】
また、従来のようなコーナー用収納庫を、平面視Ｌ字形をなすシステムキッチン等のコーナー部に配置しようとすると、開閉扉を開いた際に、それが調理の妨げとなったり、他のキャビネットの扉や引出しの開閉の障害となる。
【０００５】
しかも、開閉扉の前方に、それを開閉しうるだけの空間を確保しておく必要があるため、キッチンスペースを有効に使用することはできない。
【０００６】
本発明は、上記問題点を解決するためになされたもので、開閉扉を庫内の内壁に沿って開くようにすることにより、システムキッチン等のコーナー部に用いるなどしても、開閉扉が、調理や他の収納庫の扉等の開閉の妨げとなることがなく、かつ開閉扉の前方のスペースを有効に使用しうるようにしたコーナー用収納庫を提供することを目的をしている。
【０００７】
【課題を解決するための手段】
上記目的を達成するために、本発明のコーナー用収納庫は、ほぼ直交する壁面のコーナー部に設けられるコーナー用収納庫であって、平面形が概ね五角形をなす収納庫本体の前面中央に形成した収納物出し入れ用の開口部に、開閉扉を、その少なくとも上端を前記収納庫本体内の天板の外周部下面に設けた、前記開口部の上端から左右いずれか一方に平面視くの字状に延びるガイド手段により、収納庫本体の側板の内面に沿って開閉しうるように支持したことを特徴としている。
上記構成の収納庫によると、開閉扉は、収納庫本体内に、側板の内面に沿って開かれるため、前方に開かれる従来の収納庫のように、開閉扉が他の収納庫の扉等の開閉の妨げとなることはなく、かつ開閉扉の前方のスペースを有効に使用することができる。
【０００８】
上記収納庫において、ガイド手段を、対向する１対の内向支持片を下端に備えるほぼ下向きコ字状断面をなすガイドレールとするとともに、開閉扉の上端の左右両側部に、前記ガイドレールの両内向支持片により吊支可能な吊支部材を設け、一方の吊支部材を開口部に位置するガイドレールに、かつ他方の吊支部材を収納庫本体内に位置するガイドレールに、それぞれ移動自在に嵌合するのが好ましい。
このようにすると、開閉扉を、平面視くの字状のガイドレールのみに吊支した状態で容易に開閉することができるとともに、開口部の床面には、ガイドレール等の障害物がないので、収納庫内への物品の出し入れの妨げとなることはない。
【０００９】
上記収納庫において、開閉扉における引き手方向の側端下部を、収納庫本体内における開口部の側方の床面又は側板の内面下部に設けたガイド手段に、移動自在に係合するのが好ましい。
このようにすると、開閉扉を安定的に開閉しうるとともに、ガイド手段が床面に露出しないので、見栄えがよくなる。
【００１０】
上記収納庫において、側板の内面下部に設けたガイド手段は、側板内方に突出した側板の幅方向に延びる線状体であって、開閉扉下端に形成した案内体を摺動保持しているのが好ましい。
このようにすると、ガイド手段が線状体で構成されているので、埃等が堆積せず収納庫内を清潔に保つことができる。
【００１１】
上記収納庫において、吊支部材の上端部に、水平軸回りに回転するローラを枢着し、このローラを、ガイドレールの両内向支持片により転動自在に支持するのが好ましい。
このようにすると、開閉扉が大型で重い場合でも、小さな力で軽快に開閉することができるようになる。
【００１２】
上記収納庫において、側板の内方における床面と天板との間に仕切板を立設し、この仕切板と側板との間の空間部を、開かれた開閉扉の収容部とするのが好ましい。
このようにすると、開閉扉を開閉する際に、収納庫内に収納された物品と接触する恐れが小さくなる。
【００１３】
【発明の実施の形態】
以下、本発明の実施形態を図面に基づいて説明する。
【００１４】
図１は、本発明の収納庫を備えるシステムキッチンの斜視図、図２は、図１のＩＩ−ＩＩ線に沿う拡大横断平面図である。
【００１５】
システムキッチンＡは、直交する壁面１，１の前方の床面２に配置されたガス台３や各種のキャビネット４と、壁面１のコーナー部に配置された本発明のコーナー用収納庫５とからなっている。
【００１６】
収納庫５は、平面形が概ね五角形をなす箱状の収納庫本体６を備え、その壁面１に対し４５°に傾斜する前面中央は開口され、この開口部７には開閉扉８が設けられている。
【００１７】
収納庫本体６の天板９における開口部７とその右方の側板１０の内方との外周部下面には、図２に示すように、平面視内向きくの字状をなすガイドレール１１が取付けられている。
【００１８】
ガイドレール１１は、図２のＩＩＩ−ＩＩＩ線に沿う拡大縦断側面図である図３に示すように、下端に互いに対向する１対の内向支持片１１ａ，１１ａを有する下向きコ字状断面をなし、天板９の下面に複数のねじ１２により固定されている。両内向支持片１１ａの対向面間には、ガイド溝１１ｂが形成されている。
【００１９】
開閉扉８の上端における左右の側端部には、上端部に、上記ガイド溝１１ｂを挿通してガイドレール１１内に嵌合され、その両内向支持片１１ａの上面に摺動自在に支持される拡径摺動板１３ａを有する１対の吊支部材１３の下端部の取付板１３ｂが、ねじ１４により固定されている。
【００２０】
左側の吊支部材１３の摺動板１３ａは、開口部７に位置するガイドレール１１に、また右側の吊支部材１３の摺動板１３ａは、右方の側板１０の内方に位置するガイドレール１１に、それぞれ嵌合されている。なお、符号１９は、開口部７の上端部に横架されたガイドレール１１の目隠し板である。
【００２１】
これにより開閉扉８は、開閉扉の開き方を示す概略平面図である図５に示すように、把手１５を持って右方に押動すると、ガイドレール１１に吊支された状態で、側板１０の内面に沿って収納庫本体６内に向かって移動し、右側の吊支部材１３がガイドレール１１の右端部内に固着したストッパ１６（図２参照）と当接することにより、開口部７が全開されるようになる。
【００２２】
この際、開閉扉８のほぼ右半部は、側板１０の内方において床面２と天板９との間に立設された仕切板１７と、側板１０の内面との間に形成される収容部１８内に収容されるようになっている。
【００２３】
従って、開閉扉８を開閉する際に、収納庫本体６に収納した物品と接触する恐れが小さくなる。
【００２４】
図４は開閉扉の下端部の支持形態を示す要部の斜視図であって、開閉扉８の右端部下面には、摺動部材２０が下向きに取り付けられ、この摺動部材２０は、側板１０の内面の下端部にガイドレール１１の右半部と対向状に取付けられた上向きコ字状の下部ガイドレール２１に、摺動自在に係合されている。
【００２５】
これにより開閉扉８は、上部側のガイドレール１１に吊支された状態で、厚さ方向にぐら付くことなく安定的に開閉されるようになる。なお、下部ガイドレール２１は、側板１０の内方の床面２上に固定することもできる。
【００２６】
図６は、吊支部材の変形例を示すもので、この吊支部材２２は、開閉扉８の上端に固定された段付支軸２３における上部側の小径軸２３ａに、１対の水平軸２４，２４を有する枢支ブロック２５を回動自在に嵌合し、両水平軸２４に枢支した回転自在なローラ２６，２６を、ガイドレール１１内に収容して、その両内向支持片１１ａの上面に転動可能に支持させるようにしたものである。
【００２７】
このような吊支部材２２を用いると、上述した吊支部材１３に比して、ガイドレール１１に対する摩擦抵抗が著しく低減されるため、開閉扉８が大型で重いものであっても、小さな力で軽快に開閉することができるようになる。
【００２８】
次に、図４に示したコ字状の下部ガイドレール２１に代えて、線状体を用いて開閉扉を摺動支持させた変形例について、図７及び図８に基づき説明する。図７は開閉扉の下端部の他の支持形態を示す斜視図であり、図８は線状体が側板に取付られた状態を示す平面図である。
【００２９】
図７に示すように、開閉扉８の右端部下面には線状体３０と摺動係合可能な案内体３１が設けられ、この案内体３１は、側板１０にネジ等（図示せず）で固設した線状体３０に対して、開閉扉８が自由に回転できるように、開閉扉８に対して回動自在に支持されている。
【００３０】
そして、図８に示すように、線状体３０は側板１０の幅方向に側板と平行に延びる棒部材３０Ａと、この棒部材３０Ａを側板１０に取付けるための支持部材３０Ｂとから成り、案内体３１下部に形成した凹状部が棒部材３０Ａに嵌合している。又、棒部材３０Ａの先端部３０Ａ’は開閉扉が完全に閉鎖できるように開閉扉の閉鎖方向に屈曲している。なお、３２は帯状の軟質密閉体であって、開閉扉８の閉鎖時に、開閉扉８と側板１０とでできる僅かな隙間をシールするためのものである。
【００３１】
このように開閉扉８の下部ガイド手段として、図４に示した下部ガイドレール２１に比べ、線状体３０で構成してあるので、塵や埃が堆積する恐れがなく収納庫内を清潔に保つことができる。
【００３２】
なお、上記実施形態においては、開閉扉８を右方に押動して開くものとしたが、左方に押動して開く構造とすることもできる。
【００３３】
この際には、ガイドレール１１の左半部を、左側の側板１０の内面に沿うように天板９の下面に固着するとともに、下部ガイドレール２１も左側の側板１０の内面下部又はその内方の床面に設け、かつ下部ガイドレール２１に係合される摺動部材２０を、開閉扉８の左側部下面に取付ければよい。
【００３４】
【発明の効果】
本発明によれば、次のような効果を奏することができる。
【００３５】
（ａ）請求項１に記載の発明によれば、開閉扉は、収納庫本体内に、側板の内面に沿って開かれるため、システムキッチン等のコーナー部に収納庫を設置するなどしても、開閉扉が、調理や他の収納庫の扉等の開閉の妨げとなることはない。
また、開閉扉の前方に、扉開閉用の空間を設けておく必要がないので、開閉扉の前方のスペースを有効に使用することができる。
【００３６】
（ｂ）請求項２に記載の発明によれば、開閉扉を、平面視くの字状のガイドレールのみに吊支した状態で容易に開閉しうるとともに、開口部の床面には、ガイドレール等の障害物がないので、収納庫内への物品の出し入れの妨げとなることはない。
【００３７】
（ｃ）請求項３に記載の発明によれば、ガイド手段を開口部の床面に露出させることなく、開閉扉を安定的に開閉することができる。
【００３８】
（ｄ）請求項４に記載の発明によれば、ガイド手段が線状体で構成されているので、埃等が堆積せず収納庫内を清潔に保つことができる。
【００３９】
（ｅ）請求項５に記載の発明によれば、ガイドレールと吊支部材との摩擦抵抗が小さくなるので、開閉扉が大型で重いものであっても、小さな力で軽快に開閉することができる。
【００４０】
（ｆ）請求項６に記載の発明によれば、開閉扉を開閉する際に、収納庫本体内に収納された物品と接触する恐れが小さくなる。
【図面の簡単な説明】
【図１】本発明の収納庫を備えるシステムキッチンの斜視図である。
【図２】図１のＩＩ−ＩＩ線に沿う拡大横断平面図である。
【図３】図２のＩＩＩ−ＩＩＩ線に沿う拡大縦断側面図である。
【図４】開閉扉の下端部の支持形態を示す要部の斜視図である。
【図５】開閉扉の開き方を示す概略平面図である。
【図６】吊支部材の変形例とガイドレールへの取付例を示す縦断側面図である。
【図７】開閉扉の下端部の他の支持形態を示す斜視図である。
【図８】線状体が側板に取付られた状態を示す平面図である。
【符号の説明】
１                    壁面
２                    床面
３                    ガス台
４                    キャビネット
５                    コーナー用収納庫
６                    収納庫本体
７                    開口部
８                    開閉扉
９                    天板
１０                  側板
１１                  ガイドレール
１１ａ                内向支持片
１１ｂ                ガイド溝
１２                  ねじ
１３                  吊支部材
１３ａ                摺動板
１３ｂ                取付板
１４                  ねじ
１５                  把手
１６                  ストッパ
１７                  仕切板
１８                  収容部
１９                  目隠し板
２０                  摺動部材
２１                  下部ガイドレール
２２                  吊支部材
２３                  段付支軸
２３ａ                小径軸
２４                  水平軸
２５                  枢支ブロック
２６                  ローラ
３０                  線状体
３０Ａ                棒部材
３０Ａ’              棒部材の先端部
３０Ｂ                支持部材
３１                  案内体
３２                  帯状の軟質密閉体
Ａ                    システムキッチン
【図１】
2004248688.tif 000003
【図２】
2004248688.tif 000004
【図３】
2004248688.tif 000005
【図４】
2004248688.tif 000006
【図５】
2004248688.tif 000007
【図６】
2004248688.tif 000008
【図７】
2004248688.tif 000009
【図８】
2004248688.tif 000010